(57)【要約】【課題】従来のパズルにはない作業で完成されるパズルを提供する。【解決手段】模様及び色彩の一方又は両方の結合である表示を形成するパズルであって、両主表面を貫通するように互いに交わらない２以上のスリットが形成された基礎シートと、表面と裏面とが交互に基礎シートに面するよう該２以上のスリットに嵌入される１以上の嵌入シートと、を備えてなり、嵌入シートが基礎シートの主表面に沿った相対的な第１の所定位置に存する場合、基礎シート表面に形成された基礎シート表面表示と、嵌入シート表面に形成された嵌入シート表面表示と、が第１表示をパズル表面に形成するものである、パズルである。【選択図】図７
0003155125.tif 000002
【実用新案登録請求の範囲】
【請求項１】
模様及び色彩の一方又は両方の結合である表示を形成するパズルであって、
両主表面を貫通するように互いに交わらない２以上のスリットが形成された基礎シートと、表面と裏面とが交互に基礎シートに面するよう該２以上のスリットに嵌入される１以上の嵌入シートと、を備えてなり、
嵌入シートが基礎シートの主表面に沿った相対的な第１の所定位置に存する場合、基礎シート表面に形成された基礎シート表面表示と、嵌入シート表面に形成された嵌入シート表面表示と、が第１表示をパズル表面に形成するものである、パズル。
【請求項２】
前記第１表示を形成しているときに基礎シートに面している嵌入シートの面を基礎シートに面しないようにすると共に、前記第１表示を形成しているときに基礎シートに面していない嵌入シートの面を基礎シートに面するようにした状態において、嵌入シートが第１の所定位置に存する場合、基礎シート表面に形成された基礎シート表面表示と、嵌入シート表面に形成された嵌入シート表面表示と、が第２表示をパズル表面に形成するものである、請求項１に記載のパズル。
【請求項３】
複数の嵌入シートを備えてなり、個々の嵌入シートに関する第１の所定位置に個々の嵌入シートが存する場合、基礎シート表面に形成された基礎シート表面表示と、該複数の嵌入シートの嵌入シート表面に形成された嵌入シート表面表示と、が前記第１表示をパズル表面に形成するものである、請求項１又は２に記載のパズル。
【請求項４】
基礎シートの主表面に存する互いに交わらない２の線である一方線及び他方線とを結ぶように前記２以上のスリット各々が連続的に形成され、
前記複数の嵌入シートが一方線と他方線との間に順次並んだ状態で前記２以上のスリット各々に嵌入されるものである、請求項３に記載のパズル。
【請求項５】
前記２以上のスリット同士の間の基礎シートの部分が、一方線と他方線との間に順次並んだ状態の前記複数の嵌入シートの表面と裏面とに交互に面するものである、請求項４に記載のパズル。
【請求項６】
一方線及び他方線が互いに略平行な線分であり、
前記２以上のスリットが、一方線及び他方線に交わる直線であるスリット方向直線に略平行に互いに平行に形成され、
嵌入シート各々が略平行四辺形の主表面を有する、請求項４又は５に記載のパズル。
【請求項７】
嵌入シートが基礎シートの主表面に沿った相対的な第２の所定位置に存する場合、基礎シート裏面に形成された基礎シート裏面表示と、嵌入シート裏面に形成された嵌入シート裏面表示と、が第３表示をパズル裏面に形成するものである、請求項１乃至６のいずれか１に記載のパズル。
【請求項８】
前記第３表示を形成しているときに基礎シートに面している嵌入シートの面を基礎シートに面しないようにすると共に、前記第３表示を形成しているときに基礎シートに面していない嵌入シートの面を基礎シートに面するようにした状態において、嵌入シートが第２の所定位置に存する場合、基礎シート裏面に形成された基礎シート裏面表示と、嵌入シート裏面に形成された嵌入シート裏面表示と、が第４表示をパズル裏面に形成するものである、請求項７に記載のパズル。
【請求項９】
第１の所定位置と第２の所定位置とが略同じである、請求項７又は８に記載のパズル。
【考案の詳細な説明】
【技術分野】
【０００１】
本考案は、パズルに関し、より詳細には、模様及び色彩の一方又は両方の結合である表示を形成するパズルに関する。
【背景技術】
【０００２】
模様及び色彩の一方又は両方の結合である表示を形成するパズルは、おもちゃや、幼児の知育や、高齢者や障害者等の知的機能回復等のための道具として広く用いられてきた（例えば、特許文献１参照）。
【０００３】
特許文献１には、「ピースの継ぎ目が目立たず、絵柄の美観が損なわれないジグソーパズルの提供」（特許文献１、段落番号０００４）ためになされたものであり、「厚紙製の基板１２と所要の絵柄を印刷した印刷層１３とを重合した台紙を型抜きすることにより、所要形状をなす多数のピース１４を分割形成してなるジグソーパズル１１において、上記各ピース１４表面の印刷層１３と該ピース１４の周囲の切込み面１４”との間の角１４’が直角に成形されているジグソーパズル」（特許文献１、段落番号０００５）が開示されており、かかるパズルによれば「各ピースが組み合わされた際に、相互の継ぎ目が目立たないので、絵柄の美観が損なわれない。また、各ピースがしっかりと組み合うので組み心地がよい。」（特許文献１、段落番号００１２）というものである。
【先行技術文献】
【特許文献】
【０００４】
【特許文献１】特開２００９−１３６６２１号公報（例えば、要約、請求項１、段落番号０００１〜００１２、第１図〜第３図等）
【考案の概要】
【考案が解決しようとする課題】
【０００５】
特許文献１に記載のジグソーパズルは、各ピースがしっかりと組み合うので組み心地よく前記所要の絵柄を構成するように各ピースを組み合わせることができ、継ぎ目が目立たないので絵柄の美観が損なわれないものであるが、各ピース表面の印刷層による表示と各ピースの形状とによって各ピースの位置や方向を推測しつつ各ピースを組み合わせてジグソーパズルを完成させるという従来からのジグソーパズルと同様のものであり、パズルを完成させる作業が単調で飽きやすいという問題があった。
【０００６】
そこで、本考案では、従来のパズルにはない作業で完成されるパズルを提供することを目的とする。
【課題を解決するための手段】
【０００７】
本考案のパズル（以下、「本パズル」という。）は、模様及び色彩の一方又は両方の結合である表示を形成するパズルであって、両主表面を貫通するように互いに交わらない２以上のスリットが形成された基礎シートと、表面と裏面とが交互に基礎シートに面するよう該２以上のスリットに嵌入される１以上の嵌入シートと、を備えてなり、嵌入シートが基礎シートの主表面に沿った相対的な第１の所定位置に存する場合、基礎シート表面に形成された基礎シート表面表示と、嵌入シート表面に形成された嵌入シート表面表示と、が第１表示をパズル表面に形成するものである、パズルである。
【０００８】
本パズルは、２以上のスリットが形成された基礎シートと、該２以上のスリットに嵌入される１以上の嵌入シートと、を備えてなり、後述のように、基礎シート表面に形成された表示である基礎シート表面表示と、嵌入シート表面に形成された表示である嵌入シート表面表示と、によりパズルの表面に表示を形成するものである。なお、ここにいう表示は、模様及び色彩の一方又は両方の結合であり、模様のみ、色彩のみ、模様と色彩との結合とのいずれも含むものであり、例えば、絵や写真等の画像、記号、図形、数字、文字等を例示することができる。
基礎シートは、両方の主表面（表面と裏面）を有するシート部材により形成されるが、基礎シートの両主表面（表面と裏面）を貫通するように互いに交わらない２以上のスリットが形成される。１以上の嵌入シートも、両方の主表面（表面と裏面）を有するシート部材により形成され、基礎シートに形成された該２以上のスリットに嵌入されるが、このとき該２以上のスリットに嵌入された嵌入シートの表面と裏面とが交互に基礎シートに面するように嵌入シートは該２以上のスリットに嵌入される。
このように基礎シートと、基礎シートの該２以上のスリットに嵌入された１以上の嵌入シートと、によって本パズルの表面（パズル表面）と裏面（パズル裏面）とが形成されるが、基礎シートの該２以上のスリットに嵌入された１以上の嵌入シートは、基礎シートの主表面に対して基礎シートの主表面に沿って相対的に所定範囲内で移動可能であり、嵌入シートが基礎シートの主表面に沿った相対的な位置によって、基礎シート表面に形成された表示である基礎シート表面表示と、嵌入シート表面に形成された表示である嵌入シート表面表示と、の相対的位置関係が変化する。即ち、基礎シートに形成された該２以上のスリットに１以上の嵌入シートをどのような状態で嵌入するか（嵌入状態）、そして該２以上のスリットに嵌入された嵌入シートが基礎シートの主表面に沿ったどの相対的位置に位置するか（相対的位置）によって、基礎シート表面表示と嵌入シート表面表示とが形成するパズル表面の表示が変化する（なお、基礎シートの主表面に沿った嵌入シートの相対的な位置とは、基礎シートの主表面を投影面とし、該投影面への嵌入シートの正射影の、該主表面における位置をいう。）。
そこで、基礎シートに形成された該２以上のスリットに１以上の嵌入シートを所定の状態で嵌入し（所定の嵌入状態）、該２以上のスリットに嵌入された嵌入シートが基礎シートの主表面に沿った相対的な第１の所定位置に存する場合、基礎シート表面表示と嵌入シート表面表示とが合わさって第１表示をパズル表面に形成するように嵌入シート及び基礎シートを形成しておけば、第１表示をパズル表面に形成するには、基礎シートに形成された該２以上のスリットに１以上の嵌入シートをどのような状態で嵌入すべきかを見いだし（所定の嵌入状態を見いだす）、そのように嵌入させること（嵌入作業）と、基礎シートの該２以上のスリットに嵌入シートを嵌入した状態において基礎シートの主表面に沿った嵌入シートの相対的位置を見いだし、そのような相対的位置に調節すること、とが要求されるので、本パズルは、従来のパズルにはない作業（嵌入状態を見いだしそれに従い嵌入させることと、相対的位置を見いだしそれに従い相対的位置を調節すること）で完成されるパズルである。
【０００９】
前記第１表示を形成しているときに基礎シートに面している嵌入シートの面を基礎シートに面しないようにすると共に、前記第１表示を形成しているときに基礎シートに面していない嵌入シートの面を基礎シートに面するようにした状態において、嵌入シートが第１の所定位置に存する場合、基礎シート表面に形成された基礎シート表面表示と、嵌入シート表面に形成された嵌入シート表面表示と、が第２表示をパズル表面に形成するものであってもよい。
上述のように、本パズルは、基礎シートに形成された該２以上のスリットに所定の状態で１以上の嵌入シートを嵌入させ、さらに基礎シートの該２以上のスリットに嵌入シートを嵌入した状態において基礎シートの主表面に沿った嵌入シートの相対的位置を調節することによって、基礎シート表面表示と嵌入シート表面表示とが一緒になって第１表示をパズル表面に形成するものであるが、この第１表示を形成しているときに基礎シートに面していない嵌入シートの面は露出しているが（パズル表面側の嵌入シートの面は第１表示の一部を形成する）、この第１表示を形成しているときに基礎シートに面している嵌入シートの面は基礎シートにより覆われている。嵌入シートは、表面と裏面とが交互に基礎シートに面するので、第１表示を形成しているときに基礎シートに面している嵌入シートの面を基礎シートに面しないようにすると共に、第１表示を形成しているときに基礎シートに面していない嵌入シートの面を基礎シートに面するようにすれば、第１表示を形成していた嵌入シートの面を覆うと共に第１表示を形成していたときに覆われていた嵌入シートの面を露出させ、そして第１表示の一部を形成していた基礎シートの表面を嵌入シートが覆うと共に第１表示を形成していたときに覆われていた基礎シートの表面を露出させることができる。これによって嵌入シートが第１の所定位置（第１表示を形成していたときと同様）に存する場合、基礎シート表面（第１表示を形成していたときに覆われていた基礎シートの表面）に形成された基礎シート表面表示と、嵌入シート表面（第１表示を形成していたときに覆われていた嵌入シートの面）に形成された嵌入シート表面表示と、が第２表示をパズル表面に形成することができ、こうすれば基礎シートに形成された該２以上のスリットに１以上の嵌入シートを嵌入する状態によってパズル表面の表示を第１表示と第２表示とに異ならせることができ、本パズルの面白みを増加させることができる。
【００１０】
複数の嵌入シートを備えてなり、個々の嵌入シートに関する第１の所定位置に個々の嵌入シートが存する場合、基礎シート表面に形成された基礎シート表面表示と、該複数の嵌入シートの嵌入シート表面に形成された嵌入シート表面表示と、が前記第１表示をパズル表面に形成するもの（以下、「複数嵌入シート本パズル」という。）であってもよい。
こうすることで、複数（２以上）の嵌入シート各々が、各々の嵌入シートに関する第１の所定位置に存する場合、該複数の嵌入シートの嵌入シート表面に形成された嵌入シート表面表示と、基礎シート表面に形成された基礎シート表面表示と、が一緒になって統一された前記第１表示をパズル表面に形成するので、１の嵌入シートのみの場合に比して本パズルの完成に要する作業を増加させると共に複数（２以上）の嵌入シートを基礎シートに組み付わせて１つの前記第１表示を形成することから、本パズルを一層面白くかつ完成時に大きな達成感を得ることができるものとすることができる。
【００１１】
複数嵌入シート本パズルの場合、基礎シートの主表面に存する互いに交わらない２の線である一方線及び他方線とを結ぶように前記２以上のスリット各々が連続的に形成され、前記複数の嵌入シートが一方線と他方線との間に順次並んだ状態で前記２以上のスリット各々に嵌入されるもの（以下、「スリット連続形成本パズル」という。）であってもよい。
こうすれば前記２以上のスリット各々が、一方線と他方線とを結ぶように連続的に形成される。ここに一方線及び他方線は、基礎シートの主表面に存する互いに交わらない２の線（線分を含む曲線）である。そして、複数の嵌入シートそれぞれが、前記２以上のスリット各々に嵌入されるが、複数の嵌入シートは一方線と他方線との間に順次並んだ状態で前記２以上のスリットに嵌入される。このため嵌入シートそれぞれが一方線と他方線との間の方向（スリットが連続的に形成された方向）にも基礎シートの主表面に対して基礎シートの主表面に沿って相対的に移動可能であることから本パズルの完成作業を一層面白くすることができる。
【００１２】
スリット連続形成本パズルの場合、前記２以上のスリット同士の間の基礎シートの部分が、一方線と他方線との間に順次並んだ状態の前記複数の嵌入シートの表面と裏面とに交互に面するものであってもよい。
本パズルでは嵌入シートの表面と裏面とが交互に基礎シートに面するよう嵌入シートが前記２以上のスリットに嵌入されることで前記２以上のスリットが隣り合う方向に沿って嵌入シートと基礎シートとが係合する（前記２以上のスリット同士の間の基礎シートの部分同士を嵌入シートが跨ぐ）が、それに加え、前記２以上のスリット同士の間の基礎シートの部分が、一方線と他方線との間に順次並んだ状態の前記複数の嵌入シートの表面と裏面とに交互に面することで、前記２以上のスリットが連続する方向（スリット同士の間の基礎シートの部分がのびる方向）に沿っても嵌入シートと基礎シートとが係合するので、完成された本パズルにおいて複数の嵌入シートが基礎シートと確実に係合し、完成された状態をうまく保持することができる。
【００１３】
スリット連続形成本パズルの場合、一方線及び他方線が互いに略平行な線分であり、前記２以上のスリットが、一方線及び他方線に交わる直線であるスリット方向直線に略平行に互いに平行に形成され、嵌入シート各々が略平行四辺形の主表面を有するものであってもよい。
こうすることで前記２以上のスリットが、基礎シートの主表面に存する平行四辺形（長方形を含む）の互いに平行な対辺（一方線、他方線）を結ぶように、該平行四辺形の４辺のうち該対辺以外の１辺（スリット方向直線に平行）に略平行に互いに平行に形成され、嵌入シート各々が略平行四辺形（長方形を含む）の主表面を有することで、複数の嵌入シートが一方線と他方線との間に順次並んだ状態で前記２以上のスリットにうまく嵌入されることができる。
【００１４】
本パズルにおいては、嵌入シートが基礎シートの主表面に沿った相対的な第２の所定位置に存する場合、基礎シート裏面に形成された基礎シート裏面表示と、嵌入シート裏面に形成された嵌入シート裏面表示と、が第３表示をパズル裏面に形成するもの（以下、「裏面使用本パズル」という。）であってもよい。
本パズルにおいては、基礎シートと、基礎シートの該２以上のスリットに嵌入された１以上の嵌入シートと、によって本パズルの表面（パズル表面）と裏面（パズル裏面）とが形成され、基礎シートに形成された該２以上のスリットに嵌入シートを所定の状態で嵌入し、該２以上のスリットに嵌入された嵌入シートが基礎シートの主表面に沿った相対的な第１の所定位置に存するようにすれば、基礎シート表面表示と嵌入シート表面表示とが合わさって（一緒になって）第１表示をパズル表面に形成する。このパズル表面と同様に、本パズルの裏面（パズル裏面）にも表示を以下のようにして形成することができる。即ち、基礎シートに形成された該２以上のスリットに１以上の嵌入シートを所定の状態で嵌入し（所定の嵌入状態）、該２以上のスリットに嵌入された嵌入シートが基礎シートの主表面に沿った相対的な第２の所定位置に存する場合、基礎シート裏面表示と嵌入シート裏面表示とが合わさって（一緒になって）第３表示をパズル裏面に形成するように嵌入シート及び基礎シートを形成しておくことができる。
これにより、本パズルの表面（パズル表面）と裏面（パズル裏面）との両方をパズルとして用いることができるので、本パズルの使用者の好みに応じ複数の表示（少なくとも第１表示と第３表示）のパズルとすることができる。
【００１５】
裏面使用本パズルの場合、前記第３表示を形成しているときに基礎シートに面している嵌入シートの面を基礎シートに面しないようにすると共に、前記第３表示を形成しているときに基礎シートに面していない嵌入シートの面を基礎シートに面するようにした状態において、嵌入シートが第２の所定位置に存する場合、基礎シート裏面に形成された基礎シート裏面表示と、嵌入シート裏面に形成された嵌入シート裏面表示と、が第４表示をパズル裏面に形成するものであってもよい。
本パズルの表面（パズル表面）における第１表示に対する第２表示と同様の関係が、本パズルの裏面（パズル裏面）における第３表示に対する第４表示の関係である。詳述すれば、第３表示を形成しているときに基礎シートに面していない嵌入シートの面は露出しているが（パズル裏面側の嵌入シートの面は第３表示の一部を形成する）、この第３表示を形成しているときに基礎シートに面している嵌入シートの面は基礎シートにより覆われている。嵌入シートは、表面と裏面とが交互に基礎シートに面するので、第３表示を形成しているときに基礎シートに面している嵌入シートの面を基礎シートに面しないようにすると共に、第３表示を形成しているときに基礎シートに面していない嵌入シートの面を基礎シートに面するようにすれば、第３表示を形成していた嵌入シートの面を覆うと共に第３表示を形成していたときに覆われていた嵌入シートの面を露出させ、そして第３表示の一部を形成していた基礎シートの裏面を嵌入シートが覆うと共に第３表示を形成していたときに覆われていた基礎シートの裏面を露出させることができる。これによって嵌入シートが第２の所定位置（第３表示を形成していたときと同様）に存する場合、基礎シート裏面（第３表示を形成していたときに覆われていた基礎シートの裏面）に形成された基礎シート裏面表示と、嵌入シート裏面（第３表示を形成していたときに覆われていた嵌入シートの面）に形成された嵌入シート裏面表示と、が第４表示をパズル裏面に形成するようにすることができ、こうすれば基礎シートに形成された該２以上のスリットに１以上の嵌入シートを嵌入する状態によってパズル裏面の表示を第３表示と第４表示とに異ならせることができ、本パズルの面白みをさらに増加させることができる。
【００１６】
裏面使用本パズルの場合、第１の所定位置と第２の所定位置とが略同じであってもよい。
こうすることで本パズルの表面（パズル表面）における第１表示と、本パズルの裏面（パズル裏面）における第３表示とは、一方を形成すれば他方も形成されることから、一方を形成した状態で本パズルを裏返せば他方が完成されているので本パズルの面白みを増加させることができる。
なお、本パズルの表面（パズル表面）における第２表示と、本パズルの裏面（パズル裏面）における第４表示と、が形成される場合であれば、この場合も一方を形成すれば他方も形成されるので、一方を形成した状態で本パズルを裏返せば他方が完成される面白みがある。
【図面の簡単な説明】
【００１７】
【図１】一例の本考案のパズル（本パズル）を構成する基礎シートの図である。
【図２】一例の本考案のパズル（本パズル）を構成する嵌入シートの図である。
【図３】基礎シートの表面に形成された基礎シート表面表示を示す図である。
【図４】基礎シートの裏面に形成された基礎シート裏面表示を示す図である。
【図５】嵌入シートの表面に形成された嵌入シート表面表示を示す図である。
【図６】嵌入シートの裏面に形成された嵌入シート裏面表示を示す図である。
【図７】本パズルの第１の完成状態におけるパズル表面を示す図である。
【図８】本パズルの第１の完成状態におけるパズル裏面を示す図である。
【図９】本パズルの第２の完成状態におけるパズル表面を示す図である。
【図１０】本パズルの第２の完成状態におけるパズル裏面を示す図である。
【考案を実施するための形態】
【００１８】
本考案の実施の形態を図面を参照して詳述するが、本考案はこれに限定されるものではない。
【００１９】
図１は、一例の本考案のパズル（本パズル）を構成する基礎シート２１の図（後述の表面２５ａに対して垂直方向から見た図）である。図１を参照して、基礎シート２１について説明する。なお、基礎シート２１の表面及び裏面には、後述のように実際には表示（具体的には、数字や文字）が記載されているが、図１においては説明を容易にするためこれらの表示は図示していない。
基礎シート２１は、官製はがきと同じ程度の厚みの紙を打ち抜くことで形成されており、詳細には、対辺を構成する互いに略平行な辺２３ａ、２３ｂと、対辺を構成する互いに略平行な辺２３ｃ、２３ｄと、の４辺２３ａ、２３ｂ、２３ｃ、２３ｄによって形成される略長方形（辺２３ａ、２３ｂと辺２３ｃ、２３ｄとは略垂直である）の表面２５ａを有する（図１にはあらわないが、表面２５ａと同様の裏面２５ｂ（図４参照）も有する）。辺２３ａ、２３ｂ、２３ｃ、２３ｄが交わり形成される４の角部は、いずれも丸み（アール形状）が付けられている。
辺２３ｃに沿って略等間隔に切り欠き２４ｃ１、２４ｃ２、２４ｃ３、２４ｃ４が形成されると共に、辺２３ｄに沿って略等間隔に切り欠き２４ｄ１、２４ｄ２、２４ｄ３、２４ｄ４が形成されている。これら切り欠き２４ｃ１、２４ｃ２、２４ｃ３、２４ｃ４、２４ｄ１、２４ｄ２、２４ｄ３、２４ｄ４はいずれも同じ形状であり、具体的には、円周の２点を結ぶ弦と該２点を結ぶ劣弧とによって囲まれる形状をしている。
【００２０】
辺２３ａから距離Ｄ１だけ離れ、辺２３ａに対して略平行な表面２５ａ上に存する線分２６ａ（仮想上の線分であり表面２５ａに実際には描かれていない）に沿って円形の孔２７ａ、２７ｂ、２７ｃ、２７ｄ、２７ｅ（ここでは孔２７ａ、２７ｂ、２７ｃ、２７ｄ、２７ｅは等間隔）が穿設されている。同様に、辺２３ｂから距離Ｄ２（ここではＤ２＝Ｄ１）だけ離れ、辺２３ｂに対して略平行な表面２５ａ上に存する線分２６ｂ（仮想上の線分であり表面２５ａに実際には描かれていない）に沿って円形の孔２８ａ、２８ｂ、２８ｃ、２８ｄ、２８ｅ（ここでは孔２８ａ、２８ｂ、２８ｃ、２８ｄ、２８ｅは等間隔）が穿設されている。
【００２１】
孔２７ａと孔２８ａとを結ぶ線分に沿ってスリット２９ａが孔２７ａと孔２８ａとの間に連続して形成され、孔２７ｂと孔２８ｂとを結ぶ線分に沿ってスリット２９ｂが孔２７ｂと孔２８ｂとの間に連続して形成され、孔２７ｃと孔２８ｃとを結ぶ線分に沿ってスリット２９ｃが孔２７ｃと孔２８ｃとの間に連続して形成され、孔２７ｄと孔２８ｄとを結ぶ線分に沿ってスリット２９ｄが孔２７ｄと孔２８ｄとの間に連続して形成され、そして孔２７ｅと孔２８ｅとを結ぶ線分に沿ってスリット２９ｅが孔２７ｅと孔２８ｅとの間に連続して形成されている。なお、円形の孔２７ａ、２７ｂ、２７ｃ、２７ｄ、２７ｅ、２８ａ、２８ｂ、２８ｃ、２８ｄ、２８ｅは、スリット２９ａ、２９ｂ、２９ｃ、２９ｄ、２９ｅに後述の嵌入シートが嵌入等される際にスリット２９ａ、２９ｂ、２９ｃ、２９ｄ、２９ｅが広げられる等したときの応力集中を避け、基礎シート２１の破損を防止又は減少させるためのものである。
そして、スリット２９ａ、２９ｂ、２９ｃ、２９ｄ、２９ｅは、辺２３ａ、２３ｂに対して略垂直方向かつ辺２３ｃ、２３ｄに対して略平行方向に形成されており、スリット２９ａ、２９ｂ、２９ｃ、２９ｄ、２９ｅ同士は互いに略平行で略等間隔Ｄ４に形成されている。図１中には、スリット２９ａ、２９ｂ、２９ｃ、２９ｄ、２９ｅ同士の間の基礎シート２１の表面２５ａ部分には、線分２６ａ、２６ｂに略平行な点線２２が間隔Ｄ３毎に５本描かれているが、この点線２２はスリット２９ａ、２９ｂ、２９ｃ、２９ｄ、２９ｅ同士の間の基礎シート２１の表面２５ａ部分の領域を明確にして以後の説明を容易にするための仮想上の線分であり表面２５ａに実際には描かれているものではない。
なお、ここでは表面２５ａについて説明したが、図１にはあらわれない裏面（２５ｂ）も図１と同様の構成を有する。
【００２２】
図２は、一例の本考案のパズル（本パズル）を構成する嵌入シート４１の平面図である。図２を参照して、嵌入シート４１について説明する。なお、一例の本考案のパズル（本パズル）を構成する嵌入シートは後述のように４枚存在するが、図２においては該４枚のうち１枚のみを示している。また、嵌入シート４１の表面及び裏面には、実際には表示（具体的には、数字や文字）が記載されているが（後述）、図２においては説明を容易にするためこれらの表示は図示していない。
嵌入シート４１は、基礎シート２１と同質の紙を打ち抜くことで形成されており、詳細には、対辺を構成する互いに略平行な辺４３ａ、４３ｂと、対辺を構成する互いに略平行な辺４３ｃ、４３ｄと、の４辺４３ａ、４３ｂ、４３ｃ、４３ｄによって形成される略長方形（辺４３ａ、４３ｂと辺４３ｃ、４３ｄとは略垂直である。辺４３ａ、４３ｂに比して辺４３ｃ、４３ｄが何倍も長いので、嵌入シート４１は所謂「短冊状」である。）の表面４５ａを有する（図２にはあらわないが、表面４５ａと同様の裏面４５ｂを有する）。辺４３ａ、４３ｂ、４３ｃ、４３ｄが交わり形成される４の角部は、いずれも丸み（アール形状）が付けられている。
嵌入シート４１の表面４５ａには、辺４３ａ、４３ｂに対して略平行かつ辺４３ｃ、４３ｄに対して略垂直な互いに略平行な点線４２が間隔Ｄ４（スリット２９ａ、２９ｂ、２９ｃ、２９ｄ、２９ｅ同士の間隔Ｄ４に同じ）毎に５本描かれているが、嵌入シート４１の表面４５ａ部分の領域を明確にして説明を容易にするための仮想上の線分であり表面４５ａに実際には描かれているものではない。
そして、ここでは辺４３ａ、４３ｂは、線分２６ａ、２６ｂに略平行な点線２２同士の間隔Ｄ３とほぼ同じにされているが、４枚の嵌入シート４１をスリット２９ａ、２９ｂ、２９ｃ、２９ｄ、２９ｅに嵌入（差し込む）しやすくするためにやや短くされてもよい（例えば、辺４３ａ、４３ｂの長さをＤ３の１〜５％程度小さくするようにしてもよい）。
【００２３】
図３は、基礎シート２１の表面２５ａに形成された基礎シート表面表示を示す図である。図３を参照して、基礎シート２１の表面２５ａに形成された基礎シート表面表示について説明する。
スリット２９ａ、２９ｂ、２９ｃ、２９ｄ、２９ｅ同士の間の基礎シート２１の表面２５ａ部分は、スリット２９ａ、２９ｂ、２９ｃ、２９ｄ、２９ｅと５本の点線２２とによって横方向４個×縦方向４個に分割されることで合計１６個の領域が形成されている。横方向４個はスリット同士間に存在し、スリットが形成されている方向（辺２３ｃ、２３ｄと平行方向）に沿って４個が形成され、縦方向４個はスリットを跨ぐ方向（辺２３ａ、２３ｂと平行方向）に沿って４個が形成されている。
これら横方向４個×縦方向４個の合計１６個の領域にはそれぞれの表示が記載されており、具体的には、スリット２９ａ、２９ｂ同士間の４つの領域には図３中の左から右に向かって「Ｍ」、「け」、「Ｅ」、「あ」の文字が記載され、スリット２９ｂ、２９ｃ同士間の４つの領域には図３中の左から右に向かって「せ」、「Ｊ」、「か」、「Ｂ」の文字が記載され、スリット２９ｃ、２９ｄ同士間の４つの領域には図３中の左から右に向かって「Ｏ」、「さ」、「Ｇ」、「う」の文字が記載され、そしてスリット２９ｄ、２９ｅ同士間の４つの領域には図３中の左から右に向かって「た」、「Ｌ」、「く」、「Ｄ」の文字が記載されている。
【００２４】
図４は、基礎シート２１の裏面２５ｂに形成された基礎シート裏面表示を示す図である。図４を参照して、基礎シート２１の裏面２５ｂに形成された基礎シート裏面表示について説明する。
表面２５ａと同様、スリット２９ａ、２９ｂ、２９ｃ、２９ｄ、２９ｅ同士の間の基礎シート２１の裏面２５ｂ部分は、スリット２９ａ、２９ｂ、２９ｃ、２９ｄ、２９ｅと５本の点線２２とによって横方向４個×縦方向４個に分割されることで合計１６個の領域が形成されている。横方向４個はスリット同士間に存在し、スリットが形成されている方向（辺２３ｃ、２３ｄと平行方向）に沿って４個が形成され、縦方向４個はスリットを跨ぐ方向（辺２３ａ、２３ｂと平行方向）に沿って４個が形成されている。
これら横方向４個×縦方向４個の合計１６個の領域にはそれぞれの表示が記載されており、具体的には、スリット２９ａ、２９ｂ同士間の４つの領域には図４中の左から右に向かって「１３」、「ケ」、「５」、「ア」の文字及び数字が記載され、スリット２９ｂ、２９ｃ同士間の４つの領域には図４中の左から右に向かって「セ」、「１０」、「カ」、「２」の文字及び数字が記載され、スリット２９ｃ、２９ｄ同士間の４つの領域には図４中の左から右に向かって「１５」、「サ」、「７」、「ウ」の文字及び数字が記載され、そしてスリット２９ｄ、２９ｅ同士間の４つの領域には図４中の左から右に向かって「タ」、「１２」、「ク」、「４」の文字及び数字が記載されている。
【００２５】
図５は、嵌入シート４１の表面４５ａに形成された嵌入シート表面表示を示す平面図である。図５を参照して、嵌入シート４１の表面４５ａに形成された嵌入シート表面表示について説明する。前述の如く、嵌入シート４１は４枚存在するが、図２を参照しつつ説明したようにいずれも同じ形状及び大きさを有するものである。ここでは４枚の嵌入シートを、嵌入シート４１ａ、嵌入シート４１ｂ、嵌入シート４１ｃ及び嵌入シート４１ｄとして示す。
嵌入シート４１ａ、４１ｂ、４１ｃ、４１ｄいずれも、表面４５ａは５本の点線４２によって分割されることで４個の領域が形成されている。嵌入シート４１ａ、４１ｂ、４１ｃ、４１ｄのこれら４個の領域にはそれぞれの表示が記載されており、具体的には、嵌入シート４１ａの４つの領域には図５中の上から下に向かって「す」、「Ｎ」、「そ」、「Ｐ」の文字が記載され、嵌入シート４１ｂの４つの領域には図５中の上から下に向かって「Ｉ」、「こ」、「Ｋ」、「し」の文字が記載され、嵌入シート４１ｃの４つの領域には図５中の上から下に向かって「お」、「Ｆ」、「き」、「Ｈ」の文字が記載され、そして嵌入シート４１ｄの４つの領域には図５中の上から下に向かって「Ａ」、「い」、「Ｃ」、「え」の文字が記載されている。
【００２６】
図６は、図５に示した嵌入シート４１ａ、４１ｂ、４１ｃ、４１ｄの裏面４５ｂに形成された嵌入シート裏面表示を示す図である。図６を参照して、嵌入シート４１ａ、４１ｂ、４１ｃ、４１ｄの裏面４５ｂに形成された嵌入シート裏面表示について説明する。
嵌入シート４１ａ、４１ｂ、４１ｃ、４１ｄいずれも、裏面４５ｂは５本の点線４２によって分割されることで４個の領域が形成されている。嵌入シート４１ａ、４１ｂ、４１ｃ、４１ｄのこれら４個の領域にはそれぞれの表示が記載されており、具体的には、嵌入シート４１ａの４つの領域には図６中の上から下に向かって「１」、「イ」、「３」、「エ」の文字及び数字が記載され、嵌入シート４１ｂの４つの領域には図６中の上から下に向かって「オ」、「６」、「キ」、「８」の文字及び数字が記載され、嵌入シート４１ｃの４つの領域には図６中の上から下に向かって「９」、「コ」、「１１」、「シ」の文字及び数字が記載され、そして嵌入シート４１ｄの４つの領域には図６中の上から下に向かって「ス」、「１４」、「ソ」、「１６」の文字及び数字が記載されている。
【００２７】
図７は、嵌入シート４１ａ、４１ｂ、４１ｃ、４１ｄと基礎シート２１とによって形成された本パズルの第１の完成状態におけるパズル表面を示す図である（なお、仮想上の点線２２及び点線４２は図７には示していない）。図３の基礎シート２１の表面２５ａに形成された基礎シート表面表示と、図５の嵌入シート４１ａ、４１ｂ、４１ｃ、４１ｄの表面４５ａに形成された嵌入シート表面表示と、を参照しつつ図７を見ると、嵌入シート４１ａ、４１ｂ、４１ｃ、４１ｄいずれも辺４３ｃ、４３ｄを点線２２に略平行に向けてスリット２９ａ、２９ｂ、２９ｃ、２９ｄ、２９ｅに嵌入（差込）されている。なお、図７においては嵌入シート４１ａ、４１ｂ、４１ｃ、４１ｄの辺４３ａ、４３ｂが、辺２３ｃ、２３ｄから少しずれた状態を図示しているが、これは嵌入シート４１ａ、４１ｂ、４１ｃ、４１ｄと基礎シート２１との重なり状態が容易に理解できるようにするためであり、実際は辺４３ａ、４３ｂと辺２３ｃ、２３ｄとは丁度重なるように形成されている（図８〜図１０も同様）。また、切り欠き２４ｃ１、２４ｃ２、２４ｃ３、２４ｃ４、２４ｄ１、２４ｄ２、２４ｄ３、２４ｄ４は、嵌入シート４１ａ、４１ｂ、４１ｃ、４１ｄの辺４３ａ、４３ｂ近傍に対応する位置に形成されており、これは辺４３ａ、４３ｂ近傍を指でつまみやすくして本パズルの使用を容易ならしめるためのものである。嵌入シート４１ａ、４１ｂ、４１ｃ、４１ｄのスリット２９ａ、２９ｂ、２９ｃ、２９ｄ、２９ｅへの嵌入（差込）状態は、具体的には、嵌入シート４１ａは「Ｎ」及び「Ｐ」が記載された２の領域がパズル表面側に露出し、「す」及び「そ」が記載された２の領域が基礎シート２１の裏面２５ｂに面し隠されるようにスリット２９ａ、２９ｂ、２９ｃ、２９ｄ、２９ｅ（辺２３ａに最も近い位置）に嵌入（差込）されている。嵌入シート４１ａの辺２３ｂ側に隣り合う嵌入シート４１ｂは「Ｉ」及び「Ｋ」が記載された２の領域がパズル表面側に露出し、「こ」及び「し」が記載された２の領域が基礎シート２１の裏面２５ｂに面し隠されるようにスリット２９ａ、２９ｂ、２９ｃ、２９ｄ、２９ｅに嵌入（差込）されている。嵌入シート４１ｂの辺２３ｂ側に隣り合う嵌入シート４１ｃは「Ｆ」及び「Ｈ」が記載された２の領域がパズル表面側に露出し、「お」及び「き」が記載された２の領域が基礎シート２１の裏面２５ｂに面し隠されるようにスリット２９ａ、２９ｂ、２９ｃ、２９ｄ、２９ｅに嵌入（差込）されている。そして、嵌入シート４１ｃの辺２３ｂ側に隣り合う嵌入シート４１ｄは「Ａ」及び「Ｃ」が記載された２の領域がパズル表面側に露出し、「い」及び「え」が記載された２の領域が基礎シート２１の裏面２５ｂに面し隠されるようにスリット２９ａ、２９ｂ、２９ｃ、２９ｄ、２９ｅ（辺２３ｂに最も近い位置）に嵌入（差込）されている。
このように第１の完成状態におけるパズル表面には、アルファベットのＡからＰまでが順次並んだ表示が形成される。なお、このアルファベットのＡからＰまでのうち、Ｂ、Ｄ、Ｅ、Ｇ、Ｊ、Ｌ、Ｍ及びＯは基礎シート２１の表面２５ａに形成された基礎シート表面表示であり、Ａ、Ｃ、Ｆ、Ｈ、Ｉ、Ｋ、Ｎ及びＰは嵌入シート４１ａ、４１ｂ、４１ｃ、４１ｄの表面４５ａに形成された嵌入シート表面表示である。
【００２８】
図８は、図７に示した第１の完成状態におけるパズル裏面を示す図である（なお、仮想上の点線２２及び点線４２は図８には示していない）。図４の基礎シート２１の裏面２５ｂに形成された基礎シート裏面表示と、図６の嵌入シート４１ａ、４１ｂ、４１ｃ、４１ｄの裏面４５ｂに形成された嵌入シート裏面表示と、を参照しつつ図８を見ると、図７に基づき説明したように嵌入シート４１ａ、４１ｂ、４１ｃ、４１ｄいずれも辺４３ｃ、４３ｄを点線２２に略平行に向けてスリット２９ａ、２９ｂ、２９ｃ、２９ｄ、２９ｅに嵌入（差込）されている。具体的には、嵌入シート４１ａは「１」及び「３」が記載された２の領域がパズル裏面側に露出し、「イ」及び「エ」が記載された２の領域が基礎シート２１の表面２５ａに面し隠されるようにスリット２９ａ、２９ｂ、２９ｃ、２９ｄ、２９ｅ（辺２３ａに最も近い位置）に嵌入（差込）されている。嵌入シート４１ａの辺２３ｂ側に隣り合う嵌入シート４１ｂは「６」及び「８」が記載された２の領域がパズル裏面側に露出し、「オ」及び「キ」が記載された２の領域が基礎シート２１の表面２５ａに面し隠されるようにスリット２９ａ、２９ｂ、２９ｃ、２９ｄ、２９ｅに嵌入（差込）されている。嵌入シート４１ｂの辺２３ｂ側に隣り合う嵌入シート４１ｃは「９」及び「１１」が記載された２の領域がパズル裏面側に露出し、「コ」及び「シ」が記載された２の領域が基礎シート２１の表面２５ａに面し隠されるようにスリット２９ａ、２９ｂ、２９ｃ、２９ｄ、２９ｅに嵌入（差込）されている。そして、嵌入シート４１ｃの辺２３ｂ側に隣り合う嵌入シート４１ｄは「１４」及び「１６」が記載された２の領域がパズル裏面側に露出し、「ス」及び「ソ」が記載された２の領域が基礎シート２１の表面２５ａに面し隠されるようにスリット２９ａ、２９ｂ、２９ｃ、２９ｄ、２９ｅ（辺２３ｂに最も近い位置）に嵌入（差込）されている。
このように第１の完成状態におけるパズル裏面には、数字の１から１６までが順次並んだ表示が形成される。なお、この数字の１から１６までのうち、２、４、５、７、１０、１２、１３及び１５は基礎シート２１の裏面２５ｂに形成された基礎シート裏面表示であり、１、３、６、８、９、１１、１４及び１６は嵌入シート４１ａ、４１ｂ、４１ｃ、４１ｄの裏面４５ｂに形成された嵌入シート裏面表示である。
【００２９】
図９は、嵌入シート４１ａ、４１ｂ、４１ｃ、４１ｄと基礎シート２１とによって形成された本パズルの第２の完成状態におけるパズル表面を示す図である（なお、仮想上の点線２２及び点線４２は図９には示していない）。図３の基礎シート２１の表面２５ａに形成された基礎シート表面表示と、図５の嵌入シート４１ａ、４１ｂ、４１ｃ、４１ｄの表面４５ａに形成された嵌入シート表面表示と、を参照しつつ図９を見ると、嵌入シート４１ａ、４１ｂ、４１ｃ、４１ｄいずれも辺４３ｃ、４３ｄを点線２２に略平行に向けてスリット２９ａ、２９ｂ、２９ｃ、２９ｄ、２９ｅに嵌入（差込）されている。具体的には、嵌入シート４１ａは「す」及び「そ」が記載された２の領域がパズル表面側に露出し、「Ｎ」及び「Ｐ」が記載された２の領域が基礎シート２１の裏面２５ｂに面し隠されるようにスリット２９ａ、２９ｂ、２９ｃ、２９ｄ、２９ｅ（辺２３ａに最も近い位置）に嵌入（差込）されている。嵌入シート４１ａの辺２３ｂ側に隣り合う嵌入シート４１ｂは「こ」及び「し」が記載された２の領域がパズル表面側に露出し、「Ｉ」及び「Ｋ」が記載された２の領域が基礎シート２１の裏面２５ｂに面し隠されるようにスリット２９ａ、２９ｂ、２９ｃ、２９ｄ、２９ｅに嵌入（差込）されている。嵌入シート４１ｂの辺２３ｂ側に隣り合う嵌入シート４１ｃは「お」及び「き」が記載された２の領域がパズル表面側に露出し、「Ｆ」及び「Ｈ」が記載された２の領域が基礎シート２１の裏面２５ｂに面し隠されるようにスリット２９ａ、２９ｂ、２９ｃ、２９ｄ、２９ｅに嵌入（差込）されている。そして、嵌入シート４１ｃの辺２３ｂ側に隣り合う嵌入シート４１ｄは「い」及び「え」が記載された２の領域がパズル表面側に露出し、「Ａ」及び「Ｃ」が記載された２の領域が基礎シート２１の裏面２５ｂに面し隠されるようにスリット２９ａ、２９ｂ、２９ｃ、２９ｄ、２９ｅ（辺２３ｂに最も近い位置）に嵌入（差込）されている。
このように第２の完成状態におけるパズル表面には、平仮名の「あ」から「た」までが順次並んだ表示が形成される。なお、この平仮名の「あ」から「た」までのうち、「あ」、「う」、「か」、「く」、「け」、「さ」、「せ」及び「た」は基礎シート２１の表面２５ａに形成された基礎シート表面表示であり、「い」、「え」、「お」、「き」、「こ」、「し」、「す」及び「そ」は嵌入シート４１ａ、４１ｂ、４１ｃ、４１ｄの表面４５ａに形成された嵌入シート表面表示である。
【００３０】
図１０は、図９に示した第２の完成状態におけるパズル裏面を示す図である（なお、仮想上の点線２２及び点線４２は図１０には示していない）。図４の基礎シート２１の裏面２５ｂに形成された基礎シート裏面表示と、図６の嵌入シート４１ａ、４１ｂ、４１ｃ、４１ｄの裏面４５ｂに形成された嵌入シート裏面表示と、を参照しつつ図１０を見ると、図９に基づき説明したように嵌入シート４１ａ、４１ｂ、４１ｃ、４１ｄいずれも辺４３ｃ、４３ｄを点線２２に略平行に向けてスリット２９ａ、２９ｂ、２９ｃ、２９ｄ、２９ｅに嵌入（差込）されている。具体的には、嵌入シート４１ａは「イ」及び「エ」が記載された２の領域がパズル裏面側に露出し、「１」及び「３」が記載された２の領域が基礎シート２１の表面２５ａに面し隠されるようにスリット２９ａ、２９ｂ、２９ｃ、２９ｄ、２９ｅ（辺２３ａに最も近い位置）に嵌入（差込）されている。嵌入シート４１ａの辺２３ｂ側に隣り合う嵌入シート４１ｂは「オ」及び「キ」が記載された２の領域がパズル裏面側に露出し、「６」及び「８」が記載された２の領域が基礎シート２１の表面２５ａに面し隠されるようにスリット２９ａ、２９ｂ、２９ｃ、２９ｄ、２９ｅに嵌入（差込）されている。嵌入シート４１ｂの辺２３ｂ側に隣り合う嵌入シート４１ｃは「コ」及び「シ」が記載された２の領域がパズル裏面側に露出し、「９」及び「１１」が記載された２の領域が基礎シート２１の表面２５ａに面し隠されるようにスリット２９ａ、２９ｂ、２９ｃ、２９ｄ、２９ｅに嵌入（差込）されている。そして、嵌入シート４１ｃの辺２３ｂ側に隣り合う嵌入シート４１ｄは「ス」及び「ソ」が記載された２の領域がパズル裏面側に露出し、「１４」及び「１６」が記載された２の領域が基礎シート２１の表面２５ａに面し隠されるようにスリット２９ａ、２９ｂ、２９ｃ、２９ｄ、２９ｅ（辺２３ｂに最も近い位置）に嵌入（差込）されている。
このように第２の完成状態におけるパズル裏面には、カタカナの「ア」から「タ」までが順次並んだ表示が形成される。なお、このカタカナの「ア」から「タ」までのうち、「ア」、「ウ」、「カ」、「ク」、「ケ」、「サ」、「セ」及び「タ」は基礎シート２１の裏面２５ｂに形成された基礎シート裏面表示であり、「イ」、「エ」、「オ」、「キ」、「コ」、「シ」、「ス」及び「ソ」は嵌入シート４１ａ、４１ｂ、４１ｃ、４１ｄの裏面４５ｂに形成された嵌入シート裏面表示である。
【００３１】
以上説明の如く、嵌入シート４１ａ、４１ｂ、４１ｃ、４１ｄと基礎シート２１とによって形成された本パズルは、模様及び色彩の一方又は両方の結合である表示を形成するパズルであって、両主表面（表面２５ａ、裏面２５ｂ）を貫通するように互いに交わらない２以上のスリット２９ａ、２９ｂ、２９ｃ、２９ｄ、２９ｅが形成された基礎シート２１と、表面４５ａと裏面４５ｂとが交互に基礎シート２１に面するよう該２以上のスリット２９ａ、２９ｂ、２９ｃ、２９ｄ、２９ｅに嵌入される１以上（ここでは４）の嵌入シート４１ａ、４１ｂ、４１ｃ、４１ｄと、を備えてなり、嵌入シート４１ａ、４１ｂ、４１ｃ、４１ｄが基礎シート２１の主表面２５ａ、２５ｂに沿った相対的な第１の所定位置（図７）に存する場合、基礎シート表面２５ａに形成された基礎シート表面表示（Ｂ、Ｄ、Ｅ、Ｇ、Ｊ、Ｌ、Ｍ及びＯ）と、嵌入シート表面４５ａに形成された嵌入シート表面表示（Ａ、Ｃ、Ｆ、Ｈ、Ｉ、Ｋ、Ｎ及びＰ）と、が第１表示（図７のアルファベットのＡからＰまでが順次並んだ表示）をパズル表面に形成するものである、パズルである。嵌入シート４１ａ、４１ｂ、４１ｃ、４１ｄの表面４５ａと裏面４５ｂとが交互に基礎シート２１に面するとは、例えば、図７の嵌入シート４１ａを例にとれば、嵌入シート４１ａの「す」が記載された領域は表面４５ａが基礎シート２１に面し、「す」が記載された領域の隣の「Ｎ」が記載された領域は裏面４５ｂが基礎シート２１に面し、「Ｎ」が記載された領域の隣の「そ」が記載された領域は表面４５ａが基礎シート２１に面し、そして「そ」が記載された領域の隣の「Ｐ」が記載された領域は裏面４５ｂが基礎シート２１に面しているように表面４５ａと裏面４５ｂとが交互に基礎シート２１に面することをいう（嵌入シート４１ａ以外の嵌入シートも同様）。なお、嵌入シート４１ａ、４１ｂ、４１ｃ、４１ｄと基礎シート２１とはいずれも薄く柔軟なものであり、具体的には、ここでは柔軟な紙によって形成されている。
【００３２】
そして、嵌入シート４１ａ、４１ｂ、４１ｃ、４１ｄと基礎シート２１とによって形成された本パズルは、前記第１表示（図７のアルファベットのＡからＰまでが順次並んだ表示）を形成しているときに基礎シート２１に面している嵌入シート４１ａ、４１ｂ、４１ｃ、４１ｄの面（「す」及び「そ」が記載された２の領域、「こ」及び「し」が記載された２の領域、「お」及び「き」が記載された２の領域、「い」及び「え」が記載された２の領域）を基礎シート２１に面しないようにすると共に、前記第１表示（図７のアルファベットのＡからＰまでが順次並んだ表示）を形成しているときに基礎シート２１に面していない嵌入シート４１ａ、４１ｂ、４１ｃ、４１ｄの面（「Ｎ」及び「Ｐ」が記載された２の領域、「Ｉ」及び「Ｋ」が記載された２の領域、「Ｆ」及び「Ｈ」が記載された２の領域、「Ａ」及び「Ｃ」が記載された２の領域）を基礎シート２１に面するようにした状態（図９）において、嵌入シート４１ａ、４１ｂ、４１ｃ、４１ｄが第１の所定位置（図９、図９は図７と同じ位置である。）に存する場合、基礎シート表面２５ａに形成された基礎シート表面表示（「あ」、「う」、「か」、「く」、「け」、「さ」、「せ」及び「た」）と、嵌入シート表面４５ａに形成された嵌入シート表面表示（「い」、「え」、「お」、「き」、「こ」、「し」、「す」及び「そ」）と、が第２表示（図９の平仮名の「あ」から「た」までが順次並んだ表示）をパズル表面に形成するものである。
【００３３】
嵌入シート４１ａ、４１ｂ、４１ｃ、４１ｄと基礎シート２１とによって形成された本パズルは、複数（ここでは４）の嵌入シート４１ａ、４１ｂ、４１ｃ、４１ｄを備えてなり、個々の嵌入シート４１ａ、４１ｂ、４１ｃ、４１ｄに関する第１の所定位置（図７、図９）に個々の嵌入シート４１ａ、４１ｂ、４１ｃ、４１ｄが存する場合、基礎シート表面２５ａに形成された基礎シート表面表示（Ｂ、Ｄ、Ｅ、Ｇ、Ｊ、Ｌ、Ｍ及びＯ）と、該複数の嵌入シート４１ａ、４１ｂ、４１ｃ、４１ｄの嵌入シート表面４５ａに形成された嵌入シート表面表示（Ａ、Ｃ、Ｆ、Ｈ、Ｉ、Ｋ、Ｎ及びＰ）と、が前記第１表示（図７のアルファベットのＡからＰまでが順次並んだ表示）をパズル表面に形成するものである。
【００３４】
さらに、嵌入シート４１ａ、４１ｂ、４１ｃ、４１ｄと基礎シート２１とによって形成された本パズルは、基礎シート２１の主表面２５ａに存する互いに交わらない２の線である一方線（線分２６ａ）及び他方線（線分２６ｂ）とを結ぶように前記２以上のスリット２９ａ、２９ｂ、２９ｃ、２９ｄ、２９ｅ各々が連続的に形成され、前記複数（ここでは４）の嵌入シート４１ａ、４１ｂ、４１ｃ、４１ｄが一方線（線分２６ａ）と他方線（線分２６ｂ）との間に順次並んだ状態で前記２以上のスリット２９ａ、２９ｂ、２９ｃ、２９ｄ、２９ｅ各々に嵌入されるものである。
加えて、嵌入シート４１ａ、４１ｂ、４１ｃ、４１ｄと基礎シート２１とによって形成された本パズルは、前記２以上のスリット２９ａ、２９ｂ、２９ｃ、２９ｄ、２９ｅ同士の間の基礎シート２１の部分が、一方線（線分２６ａ）と他方線（線分２６ｂ）との間に順次並んだ状態の前記複数（ここでは４）の嵌入シート４１ａ、４１ｂ、４１ｃ、４１ｄの表面４５ａと裏面４５ｂとに交互に面するものである（例えば、図７におけるスリット２９ａ、２９ｂ同士の間の基礎シート２１の部分が、一方線（線分２６ａ）と他方線（線分２６ｂ）との間に順次並んだ状態の前記複数（ここでは４）の嵌入シート４１ａ、４１ｂ、４１ｃ、４１ｄにどのように面しているかを例にとれば、嵌入シート４１ａの表面４５ａ、嵌入シート４１ｂの裏面４５ｂ、嵌入シート４１ｃの表面４５ａ、嵌入シート４１ｄの裏面４５ｂのように表面４５ａと裏面４５ｂとに交互に面している。）。
嵌入シート４１ａ、４１ｂ、４１ｃ、４１ｄと基礎シート２１とによって形成された本パズルは、一方線（線分２６ａ）及び他方線（線分２６ｂ）が互いに略平行な線分であり、前記２以上のスリット２９ａ、２９ｂ、２９ｃ、２９ｄ、２９ｅが、一方線（線分２６ａ）及び他方線（線分２６ｂ）に交わる直線であるスリット方向直線（ここでは一方線（線分２６ａ）と他方線（線分２６ｂ）とに略直交する直線）に略平行に互いに平行に形成され、嵌入シート４１ａ、４１ｂ、４１ｃ、４１ｄ各々が略平行四辺形（ここでは略長方形）の主表面を有する。
【００３５】
嵌入シート４１ａ、４１ｂ、４１ｃ、４１ｄと基礎シート２１とによって形成された本パズルは、嵌入シート４１ａ、４１ｂ、４１ｃ、４１ｄが基礎シート２１の主表面２５ａ、２５ｂに沿った相対的な第２の所定位置（図８）に存する場合、基礎シート裏面２５ｂに形成された基礎シート裏面表示（２、４、５、７、１０、１２、１３及び１５）と、嵌入シート裏面４５ｂに形成された嵌入シート裏面表示（１、３、６、８、９、１１、１４及び１６）と、が第３表示（図８の数字の１から１６までが順次並んだ表示）をパズル裏面に形成するものである。
そして、嵌入シート４１ａ、４１ｂ、４１ｃ、４１ｄと基礎シート２１とによって形成された本パズルは、前記第３表示（図８の数字の１から１６までが順次並んだ表示）を形成しているときに基礎シート２１に面している嵌入シート４１ａ、４１ｂ、４１ｃ、４１ｄの面（「ス」及び「ソ」が記載された２の領域、「コ」及び「シ」が記載された２の領域、「オ」及び「キ」が記載された２の領域、「イ」及び「エ」が記載された２の領域）を基礎シート２１に面しないようにすると共に、前記第３表示（図８の数字の１から１６までが順次並んだ表示）を形成しているときに基礎シート２１に面していない嵌入シート４１ａ、４１ｂ、４１ｃ、４１ｄの面（「１４」及び「１６」が記載された２の領域、「９」及び「１１」が記載された２の領域、「６」及び「８」が記載された２の領域、「１」及び「３」が記載された２の領域）を基礎シート２１に面するようにした状態（図１０）において、嵌入シートが第２の所定位置（図１０。図１０は図８と同じ位置である。）に存する場合、基礎シート裏面２５ｂに形成された基礎シート裏面表示（「ア」、「ウ」、「カ」、「ク」、「ケ」、「サ」、「セ」及び「タ」）と、嵌入シート裏面４５ｂに形成された嵌入シート裏面表示（「イ」、「エ」、「オ」、「キ」、「コ」、「シ」、「ス」及び「ソ」）と、が第４表示（図１０のカタカナの「ア」から「タ」までが順次並んだ表示）をパズル裏面に形成するものである。
ここでは第１の所定位置（図７、図９）と第２の所定位置（図８、図１０）とが略同じである。
また、ここで説明した嵌入シート４１ａ、４１ｂ、４１ｃ、４１ｄと基礎シート２１とによって形成された本パズルは、文字や数字を表示として形成するものであったが、これに限定されるものでないことは言うまでもなく、それ以外の表示、例えば、絵や写真等の画像、記号、図形等を表示として形成するものであってもよい。
【符号の説明】
【００３６】
２１            基礎シート
２２            点線
２３ａ、２３ｂ、２３ｃ、２３ｄ  辺
２４ｃ１、２４ｃ２、２４ｃ３、２４ｃ４  切り欠き
２４ｄ１、２４ｄ２、２４ｄ３、２４ｄ４  切り欠き
２５ａ          表面
２５ｂ          裏面
２６ａ、２６ｂ  線分
２７ａ、２７ｂ、２７ｃ、２７ｄ、２７ｅ  孔
２８ａ、２８ｂ、２８ｃ、２８ｄ、２８ｅ  孔
２９ａ、２９ｂ、２９ｃ、２９ｄ、２９ｅ  スリット
４１、４１ａ、４１ｂ、４１ｃ、４１ｄ  嵌入シート
４２            点線
４３ａ、４３ｂ、４３ｃ、４３ｄ  辺
４５ａ          表面
４５ｂ          裏面
【図１】
0003155125.tif 000003
【図２】
0003155125.tif 000004
【図３】
0003155125.tif 000005
【図４】
0003155125.tif 000006
【図５】
0003155125.tif 000007
【図６】
0003155125.tif 000008
【図７】
0003155125.tif 000009
【図８】
0003155125.tif 000010
【図９】
0003155125.tif 000011
【図１０】
0003155125.tif 000012